(57)【要約】【課題】固定手段が外から見えないような締結具を提供する。【解決手段】第一部材と第二部材を解除可能に固定するように適合された接続手段であって、前記第一部材が前記第二部材にロックされるロック位置と前記第一部材が前記第二部材から解除されるロック解除位置との間に遠隔操作動手段により移動可能なロック手段を備えている前記接続手段において、前記接続手段と前記遠隔操作手段との間に永久的材料接続がないこと、及び前記ロック手段は前記ロック位置に前記ロック解除位置間に回転可能であることを特徴とする接続手段。【選択図】図１１
2010156464.tif 000002
【特許請求の範囲】
【請求項１】
第一部材と第二部材を解除可能に固定するように適合された接続手段であって、前記第一部材が前記第二部材にロックされるロック位置と前記第一部材が前記第二部材から解除されるロック解除位置との間に遠隔操作動手段により移動可能なロック手段を備えている前記接続手段において、前記接続手段と前記遠隔操作手段との間に永久的材料接続がないこと、及び前記ロック手段は前記ロック位置に前記ロック解除位置間に回転可能であることを特徴とする接続手段。
【請求項２】
前記接続手段は、前記第二部材に対する前記第一部材の相対的回転調節を提供する請求項１に記載の接続手段。
【請求項３】
第一部材と第二部材を接続手段によって固定する方法であって、
（ａ）前記第一部材を前記第二部材に対し選択位置に相対的に配置する工程と、
（ｂ）前記選択位置を磁力で保持する工程と、
（ｃ）高周波加熱手段で構成される遠隔操作作動手段を、前記第一部材と前記第二部材との間に挿入され、高周波加熱により硬化可能な接着剤である前記接続手段に適用する工程を含む方法。
【請求項４】
前記第一部材は金属スタッドであり、前記第二部材は１枚あるいは２枚以上のパネルである請求項３に記載の方法。
【請求項５】
前記接着剤の硬化後、磁力を解除する工程をさらに含む請求項３に記載の方法。
【請求項６】
第一部材の、前記第一部材から離間した第二部材に対する相対的配置を調節するように適合された接続手段であって、前記第一部材と前記第二部材との間のスペ−スに延び、第一取付け部位で前記第一部材にそして第二取付け部位で前記第二部材に旋回するように取付けられるア−ムを備えている前記接続手段において、前記ア−ムが前記第一及び第二取付け部位で旋回するように適合され、それにより遠隔操作作動手段の使用時に前記第一部材と前記第二部材間のスペ−スを狭くすることを特徴とし、さらに、前記接続手段と遠隔操作作動手段間に永久的材料接続がないことを特徴とする接続手段。
【請求項７】
第一部材の、前記第一部材から離間した第二部材に対する相対的配置を調節する方法であって、請求の範囲６に記載の一つの接続手段が前記第一部材と前記第一部材間のスペ−スを狭めるように遠隔操作作動手段を使用する工程を含む方法。
【請求項８】
第一部材の、前記第一部材から離間した第二部材に対する相対的配置を調節する方法であって、請求の範囲６に記載の複数の接続手段の各々が前記第一部材と前記第一部材間のスペ−スを狭めるように遠隔操作作動手段を使用する工程を含む方法。
【請求項９】
接続手段によって第二パネルに対する解除可能な接続のために適合された第一パネルであって、前記接続手段が、前記第一パネルが前記第二パネルにロックされるロック位置と前記第一パネルが前記第二パネルから解除されるロック解除位置間を遠隔操作作動手段で移動可能なロック手段を備え、前記接続手段と遠隔操作作動手段間に永久的材料接続がなく、各パネルは一対の対峙面を有し、前記第一パネルは前記第二パネルの一面の複数列に配列された１セットの窪みに収容されるように適合された複数列の突起部を一面に有する第一パネル。
【請求項１０】
前記突起部は滴塊であり、前記窪みは穴である請求項９に記載の第一パネル。
【請求項１１】
接続手段によって第二パネルに対する解除可能な接続のために適合された第一パネルにより第二パネルに解除可能な接合のために接合された第一パネルであって、前記接続手段は、前記第一パネルが前記第二パネルにロックされるロック位置と前記第一パネルが前記第二パネルから解除されるロック解除位置間を遠隔操作作動手段で移動可能なロック手段を備え、前記接続手段と遠隔操作作動手段間に永久的材料接続がなく、各パネルは一対の対峙面を有し、前記第一パネルは一面にリブであり、前記第二パネルの一面のチャンネルである窪み内に収容されるように適合された複数の突起部を有する第一パネル。
【請求項１２】
請求項９ないし１１のいずれか１項に記載の第二パネル。
【請求項１３】
第二部材と接合する目的の第一部材を製造する方法であって、前記第一部材は、前記第二部材との前記第一部材の接続を容易にするため第一手段を取り入れており、前記部材の表面に離散的に硬化材料を配置する工程と、前記材料を重力の影響の下で硬化するために前記部材を１８０°回転させる工程とを含む方法。
【請求項１４】
硬化を起こすように前記材料をさらに処理する請求項１３に記載の方法。
【発明の詳細な説明】
【技術分野】
【０００１】
この発明の分野は種々様々な製品と用途のための固定及び解除装置にある。この発明はまた、固定及び解除装置に使用されるコネクターに関する。
【背景技術】
【０００２】
スタッドをパネルに固定するような、一つの部材（要素）を他の部材（要素）に固定する必要性は締結具（ファスナー）に関する広範な技術を発生させた。釘やねじなどの基本的なバージョンは激しい労働であり、かつ固定手段が外から見える欠点がある。固定手段が外から見えないように一つの部材を他の部材に固定することが望ましい。この要望は美的理由と経済的理由によるものである。幾つかの用途では、セキュリティ（安全）目的のためにこの固定手段は外から見えないことが望ましいことがある。
【発明の概要】
【発明が解決しようとする課題】
【０００３】
一般的構成となる実施法は最初の固定段階、それに続く「仕上げ取付け」段階を有することである。この実施法は激しい労働であり、一般に後仕上げ（ｐｏｓｔ−ｆｉｎｉｓｈｉｎｇ)となる。この最初の固定段階の必要性を無くし、組み立てが完了した後に固定することが望ましい。
さらに、一般的な固定方法は、固定されている部材に損傷を与えることなしにはめったに元にもどせない。少なくとも幾つかの態様では、損傷も無く元に戻せる固定装置を作ることが望ましい。
さらにまた、一つの部材の他の部材への固定を前者と後者の部材とは別のコネクターを使用して行なうことが一般的である。第一部材あるいは第二部材にコネクターの少なくとも一部を使用することは望ましい。
【課題を解決するための手段】
【０００４】
一つの態様では、この発明はリモコン手段を使用して一つの部材を他の部材に固定する装置に関する。他の態様では、この発明は部材のリモコン固定及びリモコン解除を可能にする装置に関する。さらに他の態様では、この発明は各部材間の関係の状態、例えばそれらの部材が固定されているかあるは否か、またそれらの部材が解除されたか否かに関する情報を提供することができる装置に関する。幾つかの態様では、この発明は各部材間の一連の固定及び解除方法に関する。他の態様についても以下の説明の中で開示する。
【０００５】
幾つかの分野ではリモコン（遠隔操作）固定及び解除が自動組立への先行モデルであることが分かるだろう。
この発明の装置は建築産業に対して特に応用が可能である。しかし、この発明はこの分野に限定されず、多くの他の技術にも応用可能である。便宜上、多くの場合、以下の説明は建築産業に関して行なう。
従って、一つの態様では、この発明は第一部材と第二部材を固定あるいは解除する方法を提供するもので、その第一部材を第二部材に固定し、あるいはその第一部材から第二部材を解除するリモコン作動手段を適用する工程を備えている。
この固定及び／又は解除は第一部材及び第二部材にマーキングも無く、損傷を与えたりせずに実施できることが好ましい。
【０００６】
この発明の装置では、固定または解除される部材は３個以上あってもよい。例えば、第一の１個の部材を複数の第二部材に固定したりあるいはその部材から解除したり、あるいは、１個の第一部材を複数の第二部材に固定したりあるいはその部材から解除したり、あるいは、複数の第一部材を複数の第二部材に固定したりあるいはその部材から解除したりすることができる。さらに、複数の部材であってもこれらの部材は同じである必要はない。複数の第一部材が互いに異なってもよく、また複数の第二部材が互いに異なってもよい。
【０００７】
このリモコン固定あるいは解除手段は適切な何らかの手段でよく、これら手段の多くは種々の関連技術の当業者に明らかであろう。このリモコン固定あるいは解除手段の非限定実施例を以下説明する。
このリモコン固定手段はこの部材の固定又は解除を作動するのに必要な力あるいはメッセージを備えることができる。実施例は磁気引力又は斥力の使用、高周波加熱の使用、ある電波あるいは他の電波を介するメッセージの送信等である。
その最も簡単な態様では、本発明の装置は２個の部材を一緒に押したり、あるいはそれらの２個の部材をロックしたり、あるいはそれらの２個の部材を押しやったり、あるいはそれらの部材のロックの解除を行なうことができる。この点で、リモコン固定手段で発生した力あるいはメッセージに「従順なもの」と見なせる接続手段があればよい。
【０００８】
この発明の装置のさらに高度なバージョンでは、メッセージが、部材を互いに近づけ、あるいは遠ざけることを可能にし、あるいは部材間のコネクターを開閉できる指示を伝達することができる（例えばディジタル方式で）。特に、このメッージは３次元のどれかあるいは全ての方向に移動させることができる。従って、例えば第一部材を第二部材に対して縦にあるいは横に相対的に移動させることができる。また、第一部材を第二部材に対して相対的に回転させることができる。
この発明の装置のさらに高度なバージョンでは、メッセージを伝達するばかりでなくレポート情報を受けることも可能である。例えば２個の部材が固定状態にあるか解除状態にあるか、あるいは例えば地震の結果としての移動により、あるいは電気ダクトを利用する試みなどの不正動作のためにその２個の部材間の結線が損傷したか、応力がかけられているかについてのレポートを受けることが可能である。
【０００９】
さらに、この発明の装置ではセキュリティを組み込むために暗号化を取り入れてもよい。これは例えば部材へのアクセス、あるいはその部材がバリヤーとなる物あるいは材料へのアクセスを制限することが望ましい場合に有効とすることができる。１つの実施例は、部品検査、除去あるいは交換のアクセスが許可された人達に限定される、飛行機の部品の固定である。この装置への暗号化の取り入れは部材の固定あるいは解除を可能にするために適切に暗号化された作動手段を必要とすることがある。
本発明の装置のこれら最後に述べた実施例は、リモコン手段で与えられるメッセージあるいは力に対する応答があるだけでなく、フィードバックが固定又は解除状態に関して得られ、そしてアクセスが適切な方法で限定できるため、「インテリジェントで従順な」バージョンと見なすことができる。さらに、このバージョンは適切な許可が無くてもアクセスを防止でき、固定又は解除の時間の記録を備えることができる。従って、例えば給油ポンプあるいはガスポンプに対する無許可アクセスが防止され、許可された使用者によるそのポンプの使用時間を記録することができる。
【００１０】
本発明のこの「インテリジェントで従順な」装置１つのバージョンでは、固定又は解除機構の場所に関してのレポート情報を得ることができる。
本発明のこの「インテリジェントで従順な」装置が有することが可能な利点は、（部材の）組立てが完了した後、無許可解除を防止することである。
１個の部材を他方の部材に対し３次元のいずれかの方向に移動させるために、一つの形態の本発明の装置の性能が建築産業で生じている課題を解決させる。例えば壁高さが５０ないし６０ミリメートル変化する必要性がある。そこで、幾つかの態様の本発明によりその場所で必要な調整を行なうことが可能となる。これにより例えば垂直の許容差が緩められ、直交移動を扱う能力が与えられる。
【００１１】
各部材の解除を可能にするこの発明の装置のバージョンでは、取り壊しの必要もなく、また再利用のために建造物部材を保存する機能を有して、建造物あるいは建造物の部品を分解するための容易な手段を提供することが分かるであろう。
さらに、特に「インテリジェントで従順な」形態では、連続する１組の部材の固定と解除を実施することが可能である。これは、例えば大きなパネルをスタッドを固定しながら正確な配置を確保するために先ずその上面と下面の角を固定し、次に他の領域で固定することが望ましい場合に有効となることがある。本発明の装置の１つのバージョンでは、パネルの４つの角を固定すると、補助的場所での固定が連続で行なわれる。
【００１２】
上記のように、この発明は建築産業での応用に限定されない。２個の部材の、他の１個の部材に対する固定又は解除をリモコン作動することが望ましい無数の他の領域がある。例として以下のことが言える。血液の包装の場合のような滅菌環境を維持することが望ましい場合、血液を解放するために、例えばその包装内部のバルブを血液に応じてリモコンで作動させることができる。この作動は、例えば磁力を、バルブ内で回転するか、あるいは移動することができるバルブのディスクに加えることによって実施することができる。無菌状態をこれらの環境に中で維持できることが分かるだろう。
本発明の固定及び解除装置は、例えば無菌状態の２本のパイプ又は導管を接続するために使用することができる。
【００１３】
他の実施例として、固定あるいは解除のリモコン作動は、汚染の導入を最少にする必要がある食品工業で有効にすることができる。
１個の部材を他の部材に対して固定または解除することは、それらの部材とは別の接続手段を使用してあるいは第一又は第二部材又はその双方に組み込まれた接続手段を使用することによって実施することができる。この後者の態様は、さらに以下に説明する「パネル技術」装置の一部と見なすことができる。
他の態様では、この発明は第一部材と第二部材を固定又は解除するために適合される接続手段を提供するものであり、この接続手段はロック位置とロック解除位置間に、リモコン作動手段により移動可能なロック手段を備えている。
第一及び第二部材とは別の接続手段の非限定実施例として、以下の説明を行なうことができる。
【００１４】
１個は製造時あるいは製造後に１個の部材に取付けることが可能な雌型部品であり、他の１個は製造時あるいは製造後に第二の部材に取付けることが可能な雄型部品である２個の部品を有するファスナーは、雄型部品が、雌型部品内に収容されるように揃えられ、その後、雌型部品に対する雄型部品のロックをリモコン手段で行なうことができる。
他の実施例としてＲＦ（高周波）加熱で硬化される接着剤が第一部材と第二部材間の適切な場所に挿入され、その後、その接着剤がＲＦ加熱で硬化され、そしてそれら部材が互いに固定される。この実施例では、その後、部材を解除することは不可能であることが分かるであろう。
【００１５】
他の実施例として部材間にケーブル布線を挿入する目的で例えば長く伸びた接合物で間隔を開けて１個の部材を他の部材に接合することができる。その後、その接合物をその接合物が潰れる（又は折れる）ように適切な手段で作動させ、ケーブル布線又は他の材料が可能な限り互いに接近させて部材を固定することができる。
以下さらに詳細に説明する「パネル技術」の実施例として、１個の部材が複数の突起部を有し、一方、他の部材はその突起部を収容するように適合された窪み又は穴を有してよく、それによりリモコン作動後、１個の部材が他の部材に固定され、そしてオプションとしてさらに作動した後、他の部材から解除できる。
【００１６】
本発明のリモコン固定及び解除装置は実に広い応用分野がある。これらの応用をここで説明する。これらの応用が本発明の範囲を限定するものではないことが分かるだろう。
電力プラグに接続された電力ケーブルを電力ソケットに差し込むと、電源をオンにしようがしまいがこのプラグを外すことができる。これは安全分岐部を有することが可能である。本発明のリモコン固定及び解除を使用することによって、電源をオンにすると、電力プラグをソケットにロックすることが可能である。例えば、電力プラグはロック固定部材を備え、電力ソケットは収容部材を備えることができる。「電源オン」スイッチの作動により電流が電力ケーブルに流れるだけでなく、本発明によれば、ロック固定部材を収容部材にまた固定することができ、それにより「電源オン」スイッチを作動する限りソケットからのプラグの抜けが防止される。「電源オン」スイッチを切ると、電気の流れが停止するだけでなく、ロック固定部材も収容部材から解除され、そして電力プラグがソケットから引き抜かれる。
【００１７】
多くの状況では、標示は不正操作ができないカバーに入れられることが必要である。例えば、バスの停留所で表示される必要があるバスの時刻表はガラスあるいはパースペクス下に挿入されることが最良である。本発明のリモコン固定及び解除装置を使用して、ガラス又はパースペクスを支持ボードに接続するためにコネクターを使用することが可能である。そのコネクターは無線信号などのリモコン作動手段で作動がなされる。従って、時刻表や他の情報は、改良装置を使用して許可された人によって変更あるいは更新がなされる。
【００１８】
本発明のリモコン固定及び解除装置はまた、セキュリティを備えるために使用してもよい。例えば、パスワードを確定した後だけ、コンピュータがケーブルから解除できるようにコンピュータをプログラムすることができる。例えば、電源に接続するためにケーブルをコンピュータに付いた関連引出口に挿入できる。電源を接続したら直ぐに、ケーブルプラグはその引出口に固定され、一連の段階（以下に説明する）が取られるまで外すことができない。ケーブルプラグの上記引出口への固定は図示のように以下の方法で行なうことができる。このケーブルプラグは１対の変形可能なプラグを有し（コンピュータの引出口に接続するピン又はキャビティと別個）、その各々は中心円筒キャビティを有している。各プラグはコンピュータ引出口近くに設けられたキャビティに係合する。電源をオンにすると直ぐに、ピンはプラグの円筒キャビティに入り、プラグをそのキャビティにロック固定する。コンピュータを使用する人は所定の仕事を登録し実施する。登録解除したい時は、通常の手順が続けられ、ケーブルをコンピュータから切り離す前に、ロック固定用手順を逆にし、ケーブルを解除するパスワードを入力する必要がある。それから当該コンピュータは電源遮断がなされる。
【００１９】
本発明の装置を使用すれば、例えばコンピュータ装置用ケーブル及び移動電話をセキュリティ装置として機能することが可能で、それによりコンピュータ装置又は移動電話の無許可の取外しが防止される。
本発明の装置は他の物品、例えばテレビ受像機、ビデオ録画装置及び音響装置のセキュリティについても応用することができる。リモコン作動手段として例えば、高周波を使用すれば、そのような有用な物品を家具の大きな物品にあるいは壁、床又は天井に固定することができる。これらの有用な物品は個々にあるいは特定の順序で固定してよく、このようにしてそれら物品が固定される。家具あるいはその他の有用な物品を移動したい場合には、高周波装置を作動してそのロックを解除する。
【００２０】
同様に、本発明のリモコン固定及び解除装置は旅行時のセキュリティを提供できる。一実施例として本発明に係るリモコン作動手段を使用して好きな時にサドルバッグを自転車のラックに接続し、解除することができる。
写真装置等の有用な装置の場合、カメラを取外し可能に三脚に固定することができる。レンズとレンズキャップもカメラ上にロック固定できる。これら全て正確なアクセスコードの使用後にのみ外される。
本発明のリモコン固定及び解除装置は、目障りなロック、ケーブルあるいは同様の手段の必要も無く芸術作品に対するセキュリティを提供できることが容易に分かるだろう。盗難警報機のケーシングは許可を受けた手段によるアクセスのみで安全とすることが可能である。
【００２１】
スポイラー、運転用ライト、屋根ラック、エアカバー、構成部品、ラジオ、カセットデッキ、ＣＤプレーヤー、車輪用ナット等の自動車付属品及び装備品の場合では、固定と解除は本発明の装置を使用して行なうことができ、先ず第一に簡便な固定そしてその後、セキュリティが提供される。
乗物のドアの施錠及びその解除は、例えばドアの周辺に、そのドアキャビティ周囲の相補部材に固定可能な接続部材を備えることによりリモコンで実施することができる。
【００２２】
飛行機のブラックボックス記録装置へのアクセスは、本発明のリモコン固定及び解除装置を使用してセキュリティ手段として限定することができる。本発明のリモコン固定及び解除装置は現在より有効で美的に受け入れられる方法で固定できるので多くの用途がある。例えばこの発明を使用して部屋に一時的に防音装備を施すことが可能である。例えば、フレームを部屋の壁や天井に適用できる。次に、リモコン作動手段を使用してそれらのフレームに防音用パネルを固定することができる。パネルを介する固定が不要なため、防音がさらに完全になる。部屋の防音が不要になった場合、リモコン作動手段を使用してパネルをフレームから外すことができる。
【００２３】
他の実施例として、本発明の装置に係る隠れた固定を使用して広告掲示板の架設が可能である。このように汚い接着剤の使用を不要にし、不揃いの問題を解消することが可能である。
１個の部材が、それが解放されるまで他の部材に固定される本発明の装置は、物品を多機能化する。例えば、リモコン作動手段を使用して外すことができる底部を多目的靴に装備することができることが考えられる。ハイキングに適した底部をその活動を行なう時に取付けることができる。別の底部に取り替えることにより同じ靴をフットボールや同様のスポーツ活動に使用することができる。その靴はスキー用のスキー等に固定してもよい。
【００２４】
公衆トイレでは、十分な供給量の紙タオルとトイレットペーペーを維持すると同時にそのような消耗品を窃盗や損傷から保護する問題がある。現在、これらの消耗品はロックされたディスペンサーから通常分配されるが、そのロック用ねじ等がアクセスし易いものであるためディスペンサーに対する無許可の不正使用から保護することは不可能である。本発明のリモコン固定及び解除装置は、固定手段を隠し、許可された手段なしには利用不可能とするため、この問題は本発明により解消することができる。トイレットロール又はトイレットペーパーディスペンサーは壁又は他のマウント上でロックすることができ、ロック手段はそのディスペンサーの下に隠され、リモコン作動手段でロック又はその解除がなされる。
【００２５】
本発明の装置は、カーペット又はラグを床に留めたり、カバンや他のケースの組合せダイヤル式ロックに代えたり、ビルやその他の構造物にクリスマス飾りを固定したりするために使用することができる。この発明の装置は薬戸棚へまたプールフェンスを通して等の子供が危険な物に接近するのを防止するために使用することができる。硬貨投入機に貯まった硬貨へのアクセスは本発明の装置を使用して許可された人に限定することができる。
歯列矯正器や義歯は本発明の装置を使用して所定の位置に固定し、必要な時に外すことができる。
【００２６】
店の取付け部品は所望の方法で組み立て本発明の装置を使用して後で再配置してもよい。
消火器は盗難を防止するため所定位置にロックすることができるが、許可された手段すなわち火災報知機の音で解除可能である。
小火器は本発明の装置を使用して固定して保管でき、無許可の使用が防止される。
輸送用木箱は薬や他の違法物品をその中に置けないように本発明の装置を使用してロックすることができる。
本発明の装置を使用して、補綴関節を移動度を増大させ、良好な効率で取付けることができる。
本発明の装置を使用して犬の首輪を犬の首の周りに結わいて、必要な時に外すことができる。この犬の首輪は、全て電子的に記憶された登録事項と持主の詳細と共に電子定位装置を有することができる。
【００２７】
家具と建築部材は迅速に容易に組立て、分解することができる。
移動電話の電池とアクセスカードは本発明の装置を使用して窃盗者を失望させるように所定位置にロックすることができる。
建物の外装は迅速に装備できるが、本発明の装置を使用して改造や修理のために容易に取り除くことができる。
家電品は、無許可アクセスを防止し、保証の施行を可能にするために本発明の装置を使用することによって固定されたアクセスパネルを有することができる。
工具の場合、相互交換可能な工具のビットは本発明の装置を使用して所定の位置にロックすることができ、例えば台所設備の缶付属品のように好きな時に解除することができる。
【００２８】
マウス、外部ディスクドライブ、外部ＣＤーＲＯＭ等のようなコンピュータの周辺装置は本発明の装置を使用してコンピュータに取付けることができ、セキュリティコードはコンピュータケーブル布線に関連して上記したのと同様に周辺装置を解除するために必要とされる。
本発明の装置を使用することにより街路備品を周囲構造物に固定することができ、それにより現場にある間、セキュリティが可能となり、メンテナンスあるいは修理のために簡単に外すことが可能になる。
住宅を含む建物は本発明の装置を使用してロックを解除される全ての外側入口、窓、電源及びユーティリティを有することができる。このリモコン作動は例えばコード化キー又は高周波作動から構成されている。作動は他の実施例のように移動電話からの信号の結果として生じる。
【００２９】
ここで「パネル技術」に戻る。この発明はまた、第二部材との接続を目的とした部材を提供するものであり、第一部材はその第二部材との第一部材の接続を容易にする第一手段を実装している。その第一手段は、第一部材を第二部材に接続するために第二部材に実装される第二手段と協働するように適合されることが好ましい。この技術は製造の時点で組み込まれることが好ましく、その部材の仕上げ作業又は再仕上げ作業を削除あるいは大幅に削減することが可能である。
【００３０】
「パネル技術」の原理は、取付け作業、固定作業及び仕上げ作業の分野まで広く応用することができる。固定作業と嵌合作業の分野に関連して、例えばパネルのような部材にはそのパネルを例えばスタッドに取付けるための手段を設けてもよい。この実施例はパネルの一端縁下部に長手方向溝を挿入することであり、この溝にはパネルをスタッドに取付けることができるクリップ部材を収容することができる。同様にこのパネルは、スタッドに接続できるクリップ部材のスタッド又は溝に直接接続できる長手方向の舌片（ｔｏｎｇｕｅ)を組み入れることができる。
【００３１】
固定作業態様の一実施例として、他の部材の対応窪み又は突起部と協働できる突起部と窪みを有する部材に関連して上記実施例を参照すべきである。これらは各部材の面に配置でき、それにより部材を対面固定することができる。これらはまた、例えば端縁に沿ってその部材の他の場所に配置することもできる。
この「パネル技術」は溝、穴、リブ、こぶ（ｌｕｍｐ)、窪み、又は突起部を備えることができ、これらは連続的でも隔離されていてもよい。他の実施例として、固定時に魅力を付与し、あるいは装飾仕上げを行なうための、パネルの１面あるいは２面以上にテキスチャーを付ける目的のテキスチャー、エンボス、アンダーカット溝あるいはパネル溝があげられる。
仕上げ作業に関連して、「パネル技術」は部材に装飾仕上げ、テキスチャー仕上げあるいは無し等の選択仕上げを付与することができ、これは建築作業あるいはその他組立作業が完了した後、その部材の他の処理の必要性を回避することができる。従って組立作業あるいは建築作業後、その部材を塗装する必要がない。
「パネル技術」によりその部材の製造者がその部材に付加価値を組み込むことが可能になり、その製造者の利益が増大することが当業者は容易に分かるだろう。なぜなら次の処理を減少できるため「パネル技術」が加えられた部材に高い価格が支払われるためである。
「パネル技術」は本発明の固定及び解除装置と共に使用できることが容易に分かるだろう。
種々の態様の本発明を図面を参照して説明する。
【図面の簡単な説明】
【００３２】
【図１】第一部材を第二部材に固定するためにリモコン作動手段を使用する前に第一部材と第二部材との整合を示す一部破断斜視図である。
【図２】リモコン作動手段をロックピンに使用することによって第一部材を第二部材に固定した後の図１の部材の拡大図である。
【図３】接続手段の等尺図を拡大して示す。
【図４】第一部材と第二部材間の正常位置にある図３の接続手段を断面図で示す。
【図５】接続手段の他の実施形態を第一部材と第二部材間の正常位置での断面図で示す。
【図６】実際の大きさを示すために１：１のスケールでの同じ図を示す。
【図７】他の用途は勿論、例えば自動車のドアに布張りライニングを固定するために使用される先行技術カヌークリップを側面図で示す。
【図８】本発明に係る接続手段を形成するために改良されたカヌークリップの下部を断面図で示す。
【図９】図８の接続手段の一つの使用を示している自動車のドアの内側を示す。
【図１０】第一部材と第二部材間の正常位置で示した本発明に係る接続手段の他の形態の断面図である。
【図１１】ロック位置にある図１０の接続手段を示す。
【図１２】ボルトとナットの側面図である。
【図１３】図１２のボルトとナット集成体の断面側面図であり、ナット内に挿入され、ロックされたボルトを示す。
【図１４】図１２及び図１３の組合せの断面側面図であり、ナット内に挿入されているボルトを示す。
【図１５】図１２、図１３、図１４のボルトを示し、「ロックされた」位置にあるロックピンを示す。
【図１６】図１５のボルトの図であり、「ロック解除された」位置にあるロックピンを示す。
【図１７】ロックピンを省略したボルトの断面図である。
【図１８】ボルトの側面図である。
【図１９】本発明に係る接続手段の他の実施形態の断面側面図であり、１個の流れ用穴を備えたバルブ内のものである。
【図２０】図１９のバルブの末端図であり、閉じた位置にあるバルブを示す。
【図２１】図１９及び図２０のバルブの末端図であり、開いた位置にあるバルブを示す。
【図２２】２個の流れ用穴を有するバルブ内の本発明に係る接続手段の他のバージョンである。
【図２３】図２２のバルブの末端図であり、閉じた位置にあるバルブを示す。
【図２４】バルブが開いている図２２及び図２３のバルブを示す。
【図２５】本発明に係る直線接続手段を末端図で示す。
【図２６】図２５の接続手段の上面図であり、個別のロックピンを示す。
【図２７】図２５及び図２６の接続手段の断面図である。
【図２８】連続ロックストリップを備えた図２５の接続手段の上面図である。
【図２９】図２８の接続手段の断面図である。
【図３０】図２５の接続手段の側面図であり、長手方向調節用のオプションの歯を示す。
【図３１】図２６及び図２７のように個別ロックピンを備えた図２５の直線接続手段の一部の平面図である。
【図３２】丸みを付けた角を有する図３１の接続手段の一つのバージョンを示し、接続手段がどのように可撓性通路につながるかを示す。
【図３３】本発明の方法により固定される２本のパイプの第一部材及び第二部材を断面図で示す。この接続手段は図２５の接続手段の両面バージョンとすることができる。この接続手段は個別のロックピン又は連続ロックストリップを有してもよい。この接続手段はロックされた位置で示されている。
【図３４】図３３の接続手段を個別ロックピンバージョンの部分断面図で示す。
【図３５】図３３の同様の接続手段を示し、連続ロックストリップバージョンを示している。
【図３６】本発明に係る「ロックされた」位置にある直線接続手段の断面図であり、この接続手段は個別ロックピンを有する。
【図３７】図３６の直線接続手段の取付け時の断面図であり、「ロックが解除された」位置を示す。
【図３８】図３６の接続手段の、鳩尾形キャビティ内の第一部材への取付けの詳細を示す。
【図３９】図３６及び図３７の接続手段の第一部材への、第一部材の表面の接着剤による代替取付け手段を示す。
【図４０】本発明に係る接続手段の他の実施形態の等尺分解図である。
【図４１】本発明に係る接続手段のさらに他の実施形態の等尺分解図である。
【図４２】本発明に係る接続手段のさらに他の実施形態の等尺分解図である。
【図４３】第一部材と第二部材を垂直方向及び水平方向に調節可能で三次元調節可能な接続手段を示す。
【図４４】壁パネル（第一部材）をスタッド（第二部材）に固定するために準備された図４３の接続手段を示す。
【図４５】誘導加熱あるいはＲＦ（高周波）加熱による２枚のパネル（第一部材）のスタッド（第二部材）への固定方法を示す。
【図４６】本発明によるパネル（第二部材）へ固定できるスタッド（第一部材）を示す。このスタッドは高さ変化に合わせるために垂直に移動することができる。
【図４７】図４６の切断線ＡーＡに沿った図４６のスタッドの断面図である。
【図４８】各々本発明によりパネルに接合されたアーキトレーブと柱状突出部を部分斜視図で示す。
【図４９】図４８のアーキトレーブと柱状突出部を固定する目的の接続手段の一部の実施形態を斜視図で示す。
【図５０】接続手段である長く伸びた接合物により第二部材に固定された第一部材の上面図である。
【図５１】図５０の接合物と部材の詳細である。
【図５２】パネルである第一部材の第二部材への、クリップである接合手段による固定方法を示す。この図はまた、パネルに対する「パネル技術」の考え方を示している。
【図５３】「パネル技術」を有するパネル部材を製造する方法での一工程を示す。この実施形態では団塊がパネルの面に形成されている。
【図５４】図５３のパネルの製造における他の工程を示し、滴塊が重力の影響を受けて形成できるようにパネルがどのように１８０°反転するかを示している。
【図５５】形成された滴塊を付けた図５４のパネルを平面図で示す。
【図５６】図５５の切断線ＡーＡに沿った図５５のパネルの断面図である。
【図５７】図５５及び図５６のパネルの斜視図である。この上に団塊がパネルの狭い面（又は端縁）から盛り上がった状態にあるパネルの第二バージョンが重ねられている。
【図５８】２つのバージョン、すなわちパネルの面に窪んだ穴がある第一バージョンと、パネルの狭い面又は端縁に窪んだ穴がある第二バージョンの「パネル技術」の他の実施形態を示す。
【図５９】他の「パネル技術」の２つのバージョン、すなわちパネルの面から盛り上がった状態のリブがある第一バージョンと、パネルの端縁から盛り上がった状態のリブがある第二バージョンを示す。
【図６０】パネルに関連する「パネル技術」の２つの他のバージョンを示す。すなわち第一バージョンはパネルの面に窪んだチャンネルであり、第二バージョンはパネルの端縁に沿った窪んだチャンネルである。
【図６１】図５９に示したパネルのリブの製造の一工程である加圧の詳細を示す。
【図６２】図６１のリブの縁取りの詳細を示す。
【図６３】図６２のリブで形成されたパネルをその面に沿った平面図で示す。
【図６４】図６３の切断線ＡーＡに沿った図６３のパネルの断面図である。
【発明を実施するための形態】
【００３３】
先ず図１を参照する。ロックピン１は適切なプラスチック材料から射出成形され、金属ストリップ２を備えている。ロックピン１は第一部材４と第二部材５の間の窪み３にある。この窪み３は、部材５内にある狭い端部６を有している。
磁力をロックピン１に加えると、図２に示すようにロックピン１は窪み３内で移動し、それによりロックピン１の脚８が狭い窪み内に押し込まれ、そして壁９を広げてロックピン１は部材５に設けられた窪み１０内でロックされる。
ロックピン１は逆にも移動し、部材４と５は磁力の使用により解除可能である。磁気引力は部材４と５を固定するためにかけられ、磁気斥力はそれらを解除するためにかけられ、あるいはその逆も可能である。また、同じ磁力を反対側に、例えば固定には部材４に近い側に、そして解除には部材５に近い側に、かけることができる。
【００３４】
ここで、図３を参照する。図示接続手段７は第二部材５（図４参照）内にねじ留めされる壁プラグ１１と、アンテナ１３、コンデンサー１４、スイッチ１５及び暗号化論理チップ１６を備えた協働材１２とを備えている。協働材１２は受信機／送信機として作用することができ、部材４内に挿入される。
第一部材４を第二部材５に固定させるために、部材５に挿入されたプラグ１１が部材４に挿入された部材１２に揃えられる。メッセージを例えば電波を経由して部材１２のアンテナ１３に送り、スイッチ１５を作動し、そのスイッチ１５は、プラグ１７を壁プラグ１１に設けられたキャビティ１８内に矢印Ｂの方向に移動させる。このようにして部材４は部材５に固定される。
【００３５】
暗号化論理チップ１６は、部材４と部材５間の結線が地震あるいは振動などによって応力を受けたかどうかについてのレポートを提供することが可能である。
また、あるいは、さらに、プラグ１７がキャビティ１８へ移動すると、信号が他の接続手段に送られ、それによりその手段が作動する。上記のように、これは所定のシーケンスの固定を提供するのに有効であり、それにより大きなパネルが先ず４カ所の角で固定がなされ、続いて他の固定場所の自動作動が行なわれる。
部材４を部材５から解除するため、メッセージが電波を経由して部材１２内のアンテナ１３に送られてスイッチ１５を作動させ、その手段はプラグ１７を矢印Ｃの方向に移動させる。プラグ１７はプラグ１１内のキャビティ１８から解除され、そして部材４を部材５から分離することができる。
【００３６】
ここで図５及び図６を参照する。接続手段１９が電磁手段で作動するように設計されている。接続手段１９はアルミニウムからなる上面２０と後方固定プレート２１を有している。ベースプレート１６はアルミニウムからなっている。部品２３はアクリル材から作られ、ナイロンクリップ２４を取り囲んでいる。部品２５もアクリル材から作られている。接続部材１９はまた、巻線２６、ワッシャー２７、ピン２８、ボビン２９（テフロン（商標））及びばね３０を備えている。
図６から分かるように、実際のサイズの接続部材１９は小さくかつコンパクトであり、第一部材を第二部材に接続するのに非常に適している。
図７のカヌークリップ３１は可撓性アーム３２、３３及びスタッド３４を備えた先行技術クリップである。当技術でよく知られているように、カヌークリップ３１は所定のキャビティ内に押し込まれる。アーム３２、３３は圧縮してスペース３５を塞ぎ、そしてアーム３２、３３が最早拘束されないようにカヌークリップ３１が一旦キャビティを通して十分に押入されたら、そのアーム３２、３３が図７に示した形態に再度伸び、これによりカヌークリッ３１を所定位置に保持する。
【００３７】
本発明に係る図８に示したカヌークリップ３１の改良では、キャビティ３７が本発明に係るリモコン手段で作動可能な可動ロックピン３８を収容すれば、先行技術カヌークリップ３１のように接続手段３６が一旦アーム３２、３３内に押し込まれたら、ロックピン３８がアーム３２、３３間に移動できてそれらが同時に動くことが防止されるかを示している。従って、先ず接続手段３６は、ロックピン３８がリモコン手段で解除されるまで第一部材と第二部材（図示せず）を共に固定することになる。
図９では、自動車のドア３９が、例えば円４１で示された領域において本発明の接続手段３６によりその自動車のドア３９の内部に接続された内装品４１を備えている。従って、本発明の接続手段を使用することにより工場だけで認可された装置を自動車のメンテナンスに使用されるようにすること保証が可能である。
【００３８】
ここで、図１０及び図１１を参照する。接続手段４２は公知の「１／４回転」ファスナーに基づいている。接続手段４２は第一部材４と第二部材５間の所定位置に示されている。図１０及び図１１から分かるように、接続手段４２は部材４の外面を破らず、それにより部材４は美的あるいはセキュリティ理由から完全に何も無い面を示している。接続手段４２はばね４５で付勢された駆動磁石４３とプランジャー４４を有する。磁気あるいは電磁気手段でプランジャー４４をばね４５に対して押し下げ、回転させると、チャンネル４６がロッド４７に係合してロックがかかった位置の接続手段４２、従って接続部材４、５を保持する。この接続部材４、５はリモコン作動手段を使用することにより解除されてプランジャー４４を反対方向に回転させ、それによりロッド４７がチャンネル４６により解除される。
【００３９】
ここで、図１２ないし図１８を参照する。これらの図はボルトとナットの迅速な取付けと取外しに対する本発明の応用を示している。パネル４９を通して挿入されたボルト４８がパネル４９とナット５１間にワッシャー５０を挿入して示されている。
図１３に示すように、ボルト３９はチャンネル５２を備え、その内部には本発明によればロックピン５３が挿入されている。ロックが外れた位置ではロックピン５３はボルト５８の頭部にある（図１４及び図１６参照）。ロックがかかった位置（図１３及び図１５参照）では、ロックピン５３はチャンネル５２に沿って移動させられており（金属であるロックピン５３を磁石により）、外側溝５６がナット５１と係合するようにボルトの周囲軸部を押す。当業者が分かるように、磁気手段を使用することによってボルト４８をナット５１から迅速に外してロックピン５３をボルト４８の頭部５４内に戻すことができる。
【００４０】
図１９ないし図２１を参照する。接続手段５７は導管５８内の流れを制御するためのバルブである。バルブ５７は金属ディスク５９、６０を有しており、その各々がそれぞれ切り欠き部分６１、６２を有する。この切り欠き部分６１は図２１のように切り欠き部分６２に合わされると、接続手段５７が開放位置のバルブを示し、流体がバルブ５７を介して導管５８に沿って流れる。図２０のようにディスク５９がディスク６０に対して相対的に回ると、バルブ５７は閉じ、バルブ５７を介して導管５８に沿った流体の流れが防止される。リモコン作動手段の使用によりディスク５９をバルブの開閉位置に回すことができる。このようにしてバルブ５７を滅菌環境で開閉することができる。これは例えば病院や他の医療用途で重要性がある。図１９ないし図２１にはディスク５９をディスク６０に対して相対的に回す磁気ロックリング６３が示されている。磁気手段以外の手段を使用することによりバルブ５７を開閉してもよいことが分かるだろう。
【００４１】
ここで、図２２ないし図２４を参照する。接続手段６４は導管５８内の二重穴開きバルブを示している。ディスク５９は、前の実施例のようにロックリング６３の回転によりディスク６０に対して相対的に回される。ディスク５９に付いている穴６５、６６をディスク６０に付いている穴６７、６８に合わせると、流体がバルブ６４を通して流れ、同様に、穴６５、６６が穴６７、６８に合わないようにロックリング６３を回すことによって流体の流れを止めることができる。
本発明の接続手段は不連続である必要がない。接続手段は例えば直線的あるいは不定長さのものでよい。この接続手段は図２５ないし図２７で示されている。
【００４２】
先ず、図２５を参照する。接続手段７０は、図２６の上面図に示すように直線で不定長さである。この接続手段７０はベース７１と、チャンネル側面７３、７４間に形成されたチャンネル７２とを有する。このチャンネル側面７３、７４は、ロック手段を作動した時に部材内にロックさせるためのそれぞれ拡大部分７５、７６が端部となる。接続手段７０はその長さの一部あるいは全長にロック用歯７７を備えることができる。このロック用歯７７は拡大部分７５、７６の片方あるいは両方備えることができる。このロック用歯７７により１個の部材を他の部材に相対的に長さ方向に調節することが補助される。
【００４３】
接続手段７０は複数の不連続のロックピン７８（図２６及び図２７参照）あるいは１個の連続ロックストリップ７９（図２８及び図２９参照）を有することができる。どちらの場合でも、チャンネル７２内を上方に移動させるためにロックピン７８又はロックストリップ７９をリモコン手段で作動させて拡大部分７５、７６間で止め、それにより接続手段７０をロック位置にした際にそれらの変形が防止される。
【００４４】
図３１は不連続のロックピン７８を備えた不定長さの接続手段７０を示している。図３２は、接続手段を例えば自動車のドアのような物の角や周辺に作ることが可能な可撓性形態の同じ接続手段７０を示している。
本発明の接続手段を使用してパイプ等の第一、第二部材を固定する（そしてその後、解除する）ことができる。図３３を参照する。接続手段８０は直線接続手段７０の両面バージョンとして形成され、ベース８１とチャンネル８２、８３は同軸であり、各々チャンネル側面８４と８５間に形成されている。接続手段７０の場合のように、各チャンネル側面は拡大部分８６、８７が端部となり、その拡大部分８６、８７はパイプ壁８８、８９の相補キャビティ内に嵌合するように設計されている。接続手段８０は図２８及び図２９の実施形態の場合のように連続ロックストリップを有することができるが、図３３には不連続ロックピン９０が示されている。
【００４５】
ベース８１はパイプ９１、９２間の適切なシールとなってもよい。しかしながら、特に、パイプ９１、９２が流体を搬送するようになっている場合には、シール９３をオプションとして備えても良い。
本発明の接続手段を使用してリモコン作動手段によりロックピン９０を拡大部分８６、８７間でロックでき、それによりリモコン作動手段の使用でそれらを解除するまではパイプ９１、９２が固定されることが分かるだろう。
図３４はパイプ９１、９２の円周に沿った接続手段８０を示す。
図３５は個別のロックピン９０の代わりに連続ロックピン９５を備えた代替バージョンの接続手段９４を示す。
【００４６】
図２５ないし図３５に示したような直線接続手段は、図３６及び図３７に詳細に示すように作動可能である。図３６及び図３７では、接続手段９６はこの場合、鳩尾形（ｄｏｖｅｔａｉｌ)ベース９７と、再度チャンネル側面９９、１００、間に形成されたチャンネル９８を有している。チャンネル９９と１００の各々は拡大部分１０１及び１０２が端部になる。第一部材４を第二部材５に固定したい時（図３７参照）、接続手段９６が第一部材４の鳩尾形チャンネル１０３内に挿入され、そしてチャンネル側面９９と１００が第二部材５のキャビティ１０４内に押し込められる。チャンネル側面９９と１００は、拡大部分１０１と１０２がキャビティ１０４の拡大部分１０５に達するまでキャビティ１０４の側面の圧迫により内側に変形する。拡大部分がキャビティ１０４の拡大部分１０５に到達する磁気手段のようなリモコン手段でロックピン１０６を作動して、そのピンが拡大部分１０１と１０２間に嵌まるまでチャンネル９８に沿って移動できる。従って、チャンネル側面９９、１００が内部で変形されず拡大部分１０１と１０２を解放するため、拡大部分１０１と１０２がキャビティ１０４の拡大部分内に捕捉される。この図３６に示された位置では、第一部材４が第二部材５に固定される。この手順を逆にすると、双方に損傷やマーキングも無く第一部材４を第二部材から解除することができる。
【００４７】
部材４内の鳩尾形キャビティ１０３に挿入された接続手段９６を図３６、図３７及び図３８に示す。別の配置が図３９に示され、図３９では接続手段１０７が、第一部材４に付着あるいは固定されるベース１０８を有している。それ以外は接続手段１０７が接続手段９６と同様に動作する。
図４０にはベース１１０（断面鳩尾形）、ロックピン１１２とプランジャー１１３用のハウジング１１１、チャンネル１１５、１１６間に形成されたチャンネル１１４を有する不連続接続手段１０９が示されている。チャンネル側面１１５と１１４は拡大部分１１７と１１８が端部となる。
【００４８】
ベース１１０は第一部材４の鳩尾形チャンネル１１９に挿入することができる。第一部材４を第二部材５に接続する時には、チャンネル側面１１５、１１６がキャビティ１２０内に押し込まれ、チャンネル１１４で内側に変形し、その後、キャビティ１２０の拡大部分１２１内で広がる。その後、ロックピン１１２を作動し、プランジャー１１３を押すことによって、ロックピン１１２がチャンネル側面１１５、１１６間のチャンネル１１４を占め、そしてキャビティ１２０の拡大部１２１からの引き抜きを制限するようにチャンネル側面１１５、１１６が変形しないようにする。
【００４９】
本発明に係る接続手段の図面４１及び図４２の実施形態は、本質的には図４０の接続手段１０９の実施形態の逆の形態である。図４１及び図４２では、接続手段１２２がベース１１０と、ロックピン１１２とプランジャー１１３又はプランジャー集成体１２３を備えたハウジング１１１とを有している。この接続手段１２２の部品１２４は、第二部材５（図示せず）に固定されるようにした軸部１２５を有する。拡大部分１１７、１１８と共にチャンネル側面１１５、１１６で形成されたチャンネル１１４が部材４の部材５への固定時にハウジングに入る。次に、ロックピン１１２を、リモコン手段、例えば図４１の実施形態の場合の無線信号や、図４２の実施形態の場合の磁石によって作動させ、それによりロックピン１１２が拡大部分１１７、１１８間に移動し、そして部材４を部材５に固定する。
【００５０】
ここで、図４３及び図４４を参照する。図４３は第一部材（壁パネル１２７）に嵌合するように、また第二部材、すなわちスタッド１２８に固定されるように適合された接続手段１２６を示している。この接続手段１２６は３セットのリブ１２９、１３０、１３１を有している。リブ１２９は、矢印１３２で示すように左右への接続手段１２６（及びパネル１２７）の調節を可能にする。リブ１３０は矢印１３３で示す出し入れ方向への調節を可能にする。このリブ１３０はスタッド１２８の突出ロック用リブ１３４にロックできる。リブ１３１は矢印１３５で示した方向の上下調節を可能にし、スタッド１２８のぎざぎざが付いたロックリブ１３６と噛み合わせることができる。このようにして、作動手段（図示せず）が接続手段１２６をスタッド１２８に固定する前に、パネル１２７を所望の位置に調節することができる。
【００５１】
図４５では、金属から作られ、第一部材を構成している犬の骨状スタッド１３７が第二部材のパネル５及び５ａと共に示されている。接着剤１３８のビードが犬の骨状スタッド１３７内に設けられたチャンネルに挿入されている。この接着剤１３８はＲＦ加熱で硬化される高温メルト接着剤である。そのような硬化が生じるまで、犬の骨状スタッド１３７及びパネル５、５ａは矢印１３９で示したように磁力で所定位置で保持される。
メルト接着剤１３８に十分な熱が、矢印１４１で示された方向に回る回転加熱車を有する装置１４０により加えられる。接着剤１３８が一旦硬化したら、犬の骨状スタッド１３７をパネル５、５ａに保持する磁気引力を解除することができる。
【００５２】
図４６では、フォーム（ｆｏａｍ）スタッド１４２が、取付け用壁パネル１４３の垂直高さより短い長さで設けられている。例えば、このフォームスタッド１４２は２メートルの長さとすれば、一方、壁パネル１４３は２．３メートルの高さとすることができる。リモコンで作動可能な適切なロック手段が１４４に示されている。ロック１４４は例えば磁気手段で作動するだろう。スタッド１４２は多数の調節リブ１４５を備えており、そのプロフィールは、図４７の断面図に見ることができる。
図４８では、第一部材、すなわちアーキトレーブ（ａｒｃｈｉｔｒａｖｅ)１４６又は柱状突出部（ｊａｍｂ)１４７を、第二部材、すなわちパネル１４８又は１４９にそれぞれ接続する実施形態で使用されている本発明の方法が示されている。図４８から分かるように、アーキトレーブ１４６又は柱状突出部（ｊａｍｂ)１４７は各々鳩尾形チャンネル１５０を保有している。これは図４９に示したように、本発明の接続手段１５１の挿入のためである。接続手段１５１は例えば図４０の接続手段１０９と同じ接続手段を作動することができる。
コーニス（ｃｏｒｎｉｃｅ)や他の建築部材を図４８のアーキトレーブ１４６又は柱状突出部１４７の代用とすることが可能であることは、当業者が容易に分かるだろう。
【００５３】
ここで、図５０及び図５１を参照する。第一部材４が複数の長く伸びた接合物１５２によって第二部材５に接合されている。
図５１の詳細から分かるように、長い接合物１５２は、部材４と５内の相補キャビティ内に嵌合する球根状端部１５３を有する。この球根状端部１５３はこれらのキャビティ内で回転できる。部材４、５は図５０及び図５１に示した位置で長い接合物１５２と組み立てられ、それによりケーブル布線あるいは他の材料が部材４、５間に挿入できる。その挿入が一旦完了したら、リモコン手段（図示せず）の作動により接合物１５２が壊れる（又は折れる）か、それら球根状端部１５３により回転して部材４、５を一緒にあるいはその部材の一方を他方に近づけ、それにより部材４、５間の間隙を最少にしたままでケーブル布線あるいは他の材料を部材４、５間に配置できる。
【００５４】
図５２では、パネル４は「パネル技術」の実施例である端縁溝１５４を備えている。パネル４をスタッド５に固定させるために、この溝１５４に本発明に係る接続手段の一実施形態を構成する接続クリップ１５６の突起部１５５が嵌合される。クリップ１５６はスタッド５のチャンネル１５８内にパチンと嵌まる突出アーム１５７を有する。アーム１５７がチャンネル１５８内にパチンと嵌まった後、クリップ１５６のロックピン１５９を作動することができ、それにより解除の時までチャンネル１５８内にアーム１５７が保持される。この作動は磁気手段またはその他適切な手段で行なうことができる。
【００５５】
図５３は一連の離間位置にあるモジュールである「パネル技術」を用いたパネルの製作実施形態を示している。この発明はまた、そのようなパネルの製造方法をその範囲に包含する。図示実施例では、パネル５が矢印１６２の方向に移動すると、アプリケータ１６０はパネル５の面に少量の適切な材料１６１を堆積させる。
次に、パネル５を矢印１６３（図５４）で示したように逆さまにし、それにより材料１６１はその特性により重力の影響を受けて滴塊１６４に成長する。これらの滴塊はその他の処理を必要とせずに硬化可能でまた、あるいは熱によるなどの硬化を必要とすることもできる。この完成品を図５５及び５６に示す。
【００５６】
図５７及び図５８は、「パネル技術」が窪んだ穴１６５（図５８）あるいは盛り上がった滴塊１６６（図５７）の形態でパネル５に、具体的にはそのパネルの面１６５か端縁１６８にどのように使用できるかを示している。
同様に、図５９及び図６０は、パネル５が盛り上がったリブ１６９（図５９）かあるいは窪んだチャンネル１７０（図６０）の形態でどのように「パネル技術」を使用できるかを示している。
パネル５のリブ１６９の製造は図６１及び図６２に詳細に説明されており、図６３には平面図が、図６４には断面図が示されている。先ず、リブ１６９が加圧手段１７２を使用して図６１に示すように形成され、ロック部分１７１が縁付け手段１７３を使用して図６２に示すように形成される。完成品を図６３及び図６４に示す。
【産業上の利用可能性】
【００５７】
種々の技術分野の当業者が分かるように、ここに開示された発明は記載された実施例に限定されず、多くの分野への広範な用途がある。これらの発明は関連する技術分野においてかなりの進歩を提供するものである。
【図１】
2010156464.tif 000003
【図２】
2010156464.tif 000004
【図３】
2010156464.tif 000005
【図４】
2010156464.tif 000006
【図５】
2010156464.tif 000007
【図６】
2010156464.tif 000008
【図７】
2010156464.tif 000009
【図８】
2010156464.tif 000010
【図９】
2010156464.tif 000011
【図１０】
2010156464.tif 000012
【図１１】
2010156464.tif 000013
【図１２】
2010156464.tif 000014
【図１３】
2010156464.tif 000015
【図１４】
2010156464.tif 000016
【図１５】
2010156464.tif 000017
【図１６】
2010156464.tif 000018
【図１７】
2010156464.tif 000019
【図１８】
2010156464.tif 000020
【図１９】
2010156464.tif 000021
【図２０】
2010156464.tif 000022
【図２１】
2010156464.tif 000023
【図２２】
2010156464.tif 000024
【図２３】
2010156464.tif 000025
【図２４】
2010156464.tif 000026
【図２５】
2010156464.tif 000027
【図２６】
2010156464.tif 000028
【図２７】
2010156464.tif 000029
【図２８】
2010156464.tif 000030
【図２９】
2010156464.tif 000031
【図３０】
2010156464.tif 000032
【図３１】
2010156464.tif 000033
【図３２】
2010156464.tif 000034
【図３３】
2010156464.tif 000035
【図３４】
2010156464.tif 000036
【図３５】
2010156464.tif 000037
【図３６】
2010156464.tif 000038
【図３７】
2010156464.tif 000039
【図３８】
2010156464.tif 000040
【図３９】
2010156464.tif 000041
【図４０】
2010156464.tif 000042
【図４１】
2010156464.tif 000043
【図４２】
2010156464.tif 000044
【図４３】
2010156464.tif 000045
【図４４】
2010156464.tif 000046
【図４５】
2010156464.tif 000047
【図４６】
2010156464.tif 000048
【図４７】
2010156464.tif 000049
【図４８】
2010156464.tif 000050
【図４９】
2010156464.tif 000051
【図５０】
2010156464.tif 000052
【図５１】
2010156464.tif 000053
【図５２】
2010156464.tif 000054
【図５３】
2010156464.tif 000055
【図５４】
2010156464.tif 000056
【図５５】
2010156464.tif 000057
【図５６】
2010156464.tif 000058
【図５７】
2010156464.tif 000059
【図５８】
2010156464.tif 000060
【図５９】
2010156464.tif 000061
【図６０】
2010156464.tif 000062
【図６１】
2010156464.tif 000063
【図６２】
2010156464.tif 000064
【図６３】
2010156464.tif 000065
【図６４】
2010156464.tif 000066